(57)【特許請求の範囲】
【請求項１】
前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
さらに、前記第２環境用送風装置を設けた区画の前面側を塞ぐ内蓋と、
周囲をＵ字型に形成し、前記本体ケースの前面側を覆うフロントパネルとを有し、
前記内蓋の上辺を前面側に折り曲げて引掛部を設け、
前記フロントパネルの上辺は、断面がＵ字型に折り曲げられ、前記フロントパネルの下辺は、ネジ止め用孔を設けた面と、その面よりも低い位置で前記本体ケースの底面とほぼ同じ高さになる最下面の二段になっており、前記フロントパネルは、前記引掛部にその上辺を引掛けるとともに、下辺部を底面側からネジ止め固定し、
前記第１環境用送風装置は、前記本体ケースの下部に備えられ、
前記本体ケースの底面をドレンパンとし、
このドレンパンに設けた水抜き孔は、前記フロントパネルのネジ止め用孔の直下に設けた冷却装置。
【請求項２】
前記本体ケースの底面は、前側を除いた三辺を前記本体ケースのフレーム部とし、このフレーム部に囲まれた部分を前記ドレンパンとした請求項１記載の冷却装置。
【請求項３】
前記内蓋は、周囲を立ち上げて壁面を設けて皿型に形成すると共に、この壁面端部には、外周側に広がるフランジを設け、
前記本体ケース側には、前記内蓋の周囲の壁面の内側に嵌合するシール壁を設け、
前記フランジの表面と前記内蓋の底面部の周囲にパッキンを貼り付けて、
前記シール壁の頂部と前記内蓋の底面部とが当接するとともに、前記本体ケースのフレームと前記フランジとが当接する請求項１または２記載の冷却装置。
【請求項４】
請求項１〜３いずれか一つに記載の冷却装置を搭載した電子機器。
【発明の詳細な説明】
【技術分野】
【０００１】
本発明は、例えば屋外に設置される電子機器に活用される冷却装置およびこれを組み込んだ電子機器に関するものである。
【背景技術】
【０００２】
例えば、携帯電話の基地局は、数十アンペア以上の電流が流れることから、ある点では発熱体とも表現される。つまり、発熱体でもある携帯電話の基地局を冷却することは、その動作を安定化させるためには極めて重要なものとなる。
【０００３】
このような基地局においては、近年の技術開発の結果、内部に収められた機器類を更新し、さらに発熱量が増加する傾向にある。また、通信量の増加に伴い、基地局内のスペースを有効に使いながら可能な限り多くの機器類を収納する傾向がある。
【０００４】
このような背景において、基地局内のスペースの妨げとならないように外壁面に冷却装置が取り付けられることが増えている。
【０００５】
一方、従来の冷却装置においては、開閉可能な基地局の扉に取り付けられたり、基地局の壁面に埋め込まれるようにして取り付けられていた（例えば、特許文献１）。
【０００６】
このような冷却装置においては、扉を開いた上で、冷却装置の背面側を開いてメンテナンスを行っていた。また、壁面に取り付けられる場合にも、基地局内にメンテナンス用のスペースをとって背面側からメンテナンスを行っていた。
【先行技術文献】
【特許文献】
【０００７】
【特許文献１】特開２００９―１６８３９６号公報
【発明の概要】
【発明が解決しようとする課題】
【０００８】
しかしながら、近年の基地局においては、その内部のスペースを有効に使うようになり、冷却装置そのものの存在スペースやメンテナンス用のスペースが十分に確保できない状況になってきた。
【０００９】
そこで、本発明は、冷却装置を基地局の壁面に外側から取り付け、基地局の外側、すなわち、冷却装置の前面をメンテナンス口にするとともに、メンテナンス口を容易に開けることができないようにすることを目的としたものである。
【課題を解決するための手段】
【００１０】
そして、この目的を達成するために、本発明の冷却装置は、
前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
さらに、前記第２環境用送風装置を設けた区画の前面側を塞ぐ内蓋と、
周囲をＵ字型に形成し、前記本体ケースの前面側を覆うフロントパネルとを有し、
前記内蓋の上辺を前面側に折り曲げて引掛部を設け、
前記フロントパネルの上辺は、断面がＵ字型に折り曲げられ、前記フロントパネルの下辺は、ネジ止め用孔を設けた面と、その面よりも低い位置で前記本体ケースの底面とほぼ同じ高さになる最下面の二段になっており、前記フロントパネルは、前記引掛部にその上辺を引掛けるとともに、下辺部を底面側からネジ止め固定し、前記第１環境用送風装置は、前記本体ケースの下部に備えられ、前記本体ケースの底面をドレンパンとし、このドレンパンに設けた水抜き孔は、前記フロントパネルのネジ止め用孔の直下に設けたものであり、これにより所期の目的を達成するものである。
【発明の効果】
【００１１】
以上のごとく本発明の冷却装置は、前面に第１環境用の第１吸気口と第１吐出口を設け、背面に第２環境用の第２吸気口および第２吐出口を設けた本体ケースと、この本体ケース内に設けられた第１環境用送風装置および第２環境用送風装置と、前記本体ケース内において第１環境の空気と第２環境の空気との熱交換を行う熱交換器とを備え、さらに、前記第２環境用送風装置を設けた区画の前面側を塞ぐ内蓋と、周囲をＵ字型に形成し、前記本体ケースの前面側を覆うフロントパネルとを有し、前記内蓋の上辺を前面側に折り曲げて引掛部を設け、前記フロントパネルの上辺は、断面がＵ字型に折り曲げられ、前記フロントパネルの下辺は、ネジ止め用孔を設けた面と、その面よりも低い位置で前記本体ケースの底面とほぼ同じ高さになる最下面の二段になっており、前記フロントパネルは、前記引掛部にその上辺を引掛けるとともに、下辺部を底面側からネジ止め固定し、前記第１環境用送風装置は、前記本体ケースの下部に備えられ、前記本体ケースの底面をドレンパンとし、このドレンパンに設けた水抜き孔は、前記フロントパネルのネジ止め用孔の直下に設けたものであるので、壁面に取り付けられた上で外側からメンテナンスができると共に、ネジが外側に露出しないので、盗難されにくいという効果を併せ持つことになる。
【図面の簡単な説明】
【００１２】
【図１】本発明の第１の実施の形態の電子機器の設置例を示す斜視図
【図２】同冷却装置の断面図
【図３】同冷却装置の外観斜視図（ａ）フロントパネルを取り付けた図、（ｂ）フロントパネルを外した図
【図４】同上部要部の拡大断面図
【図５】同下部要部の（ａ）拡大断面図、（ｂ）底面図
【図６】同内蓋斜視図
【図７】同内蓋の取付詳細図
【発明を実施するための形態】
【００１３】
以下、本実施の形態について図面を参照しながら説明する。
【００１４】
（実施の形態１）
図１において、携帯電話の基地局１は、内部に送・受信機（図示せず）を収納したものである。このような基地局１は、様々な場所に設置されている。基地局１は箱状のキャビネット２とこのキャビネット２内に設けた送・受信機とで構成されている。キャビネット２の一つの外壁面には、冷却装置３が取り付けられている。
【００１５】
図２を用いて、冷却装置３の概略構成を説明する。冷却装置３は、第１環境となる外気空気（以降、外気と呼ぶ）と第２環境となるキャビネット２内の空気（以降、内気と呼ぶ）とを吸い込む構成となっている。すなわち、冷却装置３は、本体ケース４に外気吸気口５と外気吐出口６およびキャビネット２内用の内気吸気口７および内気吐出口８を有する。冷却装置３内には、外気用の外気送風機９およびキャビネット２内用の内気送風機１０と、外気空気とキャビネット２内の空気との熱交換を行う熱交換器１１とを備えている。
【００１６】
このような構成により、冷却装置３は、熱交換器１１により送・受信機の冷却を行うことになる。すなわち、送・受信機は数十アンペア以上の電流が流れており、それに伴って高温化するものとなる。このような送・受信機の高温化を放置するとその特性が不安定になる。冷却装置３の運転を行うと、キャビネット２内の高温の空気は、内気送風機１０によって熱交換器１１を通って再びキャビネット２内に供給される。一方、内気と比べて低温の外気は、外気送風機９によって熱交換器１１を通って外気側に放出されることになる。熱交換器１１では、高温の内気と低温の外気との間で熱交換が行われることになり、内気は冷やされてキャビネット２内に供給され、キャビネット２内が冷却されることになる。このように、熱交換器１１によって外気との熱交換によりキャビネット２内の冷却を行い、これにより、送・受信機の不安定化を防止する構造となっている。
【００１７】
次に、本実施の形態における最も大きな特徴部分について説明する。
【００１８】
図３（ａ）に示すように、冷却装置３は、前面側にフロントパネル１２を備えたものである。このフロントパネル１２は、外気吸気口５と外気吐出口６を開口している。図３（ｂ）は、フロントパネル１２を外した状態である。フロントパネル１２を外すと、熱交換器１１、外気送風機９が露出される。内気送風機１０とフロントパネル１２との間には、内蓋１３が設けられている。この内蓋１３は、周囲にパッキンを貼って、本体ケース４のフレームに押し付けることで、内気送風機１０が設けられた空間を外気側から遮断している。
【００１９】
次に、図４、図５を用いてさらに詳しく説明する。
【００２０】
図４に示すように、内蓋１３は、内気送風機１０の前面側の開口を塞ぐように設けられている。この内蓋１３の周囲には、パッキン（図示せず）が貼り付けられていて、本体ケース４のフレーム、および、熱交換器１１の上辺に密着している。さらに、内蓋１３の上辺には、前面側に９０度未満の角度をつけて折り曲げた引掛部１３ａが設けられている。
【００２１】
一方、フロントパネル１２の上辺は、断面がＵ字型に折り曲げられている。そして、引掛部１３ａには、フロントパネル１２のＵ字型の上辺が引っ掛けられるようになっている。
【００２２】
フロントパネル１２の下辺には、ネジ止め用孔１２ａが設けられている。このネジ止め用孔１２ａは、本体ケース４の底面よりも所定の距離（手で確認できる程度の距離）だけ天面に近い位置に設ける。すなわち、フロントパネル１２の下辺は、ネジ止め用孔１２ａを設けた面と、その面よりも低い位置で本体ケース４の底面４ａとほぼ同じ高さになる最下面の二段になっている。
【００２３】
このような構成によれば、基地局１の壁面に取り付けられた冷却装置３は、設置後のメンテナンスなどを行う際には、基地局１の外側から、まず、底面からネジ止め用孔１２ａを探り、このネジを外す。そして、引掛部１３ａに引っ掛かっているフロントパネル１２を外すのである。この状態で外気送風機９は露出しているので、メンテナンスが可能となっている。熱交換器１１、内気送風機１０のメンテナンスを行うときには、内蓋１３を外せばよい。すなわち、基地局１内にメンテナンス用のスペースが必要なく、外側から簡単にメンテナンスができる。そして、組み立てた状態では、フロントパネル１２の前面側からは、固定用のネジは確認できないようになっているので、イタズラ、盗難防止に効果的な構成となっている。
【００２４】
また、本体ケース４の底面４ａの区画は、外気が通じる区画になっていて、時には雨などの水が入り込むことがある。すなわち、本体ケース４の底面４ａには、水抜き孔１４ｂが設けられている。そして、この水抜き孔１４ｂは、前記したネジ止め用孔１２ａの直下に設けられ、フロントパネル１２の着脱時にドライバーなどを差し込むための開口を兼ねている。また、この底面４ａは、本体ケース４の底面フレーム４ｃとドレンパン１４で構成されている。つまり、底面４ａは、前面を除いた周囲を底面フレーム４ｃで構成し、それ以外の部分をドレンパン１４で構成しているのである。
【００２５】
このような構成によれば、水抜き孔１４ｂは、フロントパネル１２の固定用のネジ止め用孔１２ａに通じる開口と、ドレン孔とを共用できることになる。そして、ドレンパン１４は、本体ケース４の強度に影響を与えることなく、本体ケース４から簡単に分離することができる構成になっている。
【００２６】
また、内蓋１３は、図６に示すように、周囲を本体ケース４側に立ち上げた壁面１３ｂを設け、さらに、外側にフランジ状の周縁部１３ｃを設けて皿状に構成したものである。そして、本体ケース４側は、図７に示すように、内蓋１３の底に頂部が接触するようにシール壁４ｄが設けられている。このシール壁４ｄは、内蓋１３の壁面１３ｂの内側に嵌合するように設けられている。そして、周縁部１３ｃの本体ケース４、熱交換器１１と接触する部分には、パッキン（図示せず）が貼り付けられている。また、内蓋１３の底面周囲にもパッキン（図示せず）が貼り付けられている。
【００２７】
このような構成によれば、本体ケース４に設けられたシール壁４ｄの頂部は、内蓋１３の底面周囲に設けられたパッキンに密着することになる。そして、内蓋１３の周縁部１３ｃは、本体ケース４のフレーム、熱交換器１１の上辺に密接することになる。すなわち、内蓋１３は、二重にシールされていることになり、内気通風部分の密閉度が確保されている。
【００２８】
さらに、このようなシール構造は、他の板材接合部分（本体ケース４の天板と側版との接合部分など）にも用いられている。
【産業上の利用可能性】
【００２９】
以上のごとく本発明の冷却装置は、前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
さらに、前記第２環境用送風装置を設けた区画の前面側を塞ぐ内蓋と、
周囲をＵ字型に形成し、前記本体ケースの前面側を覆うフロントパネルとを有し、
前記内蓋の上辺を前面側に折り曲げて引掛部を設け、
前記フロントパネルは、前記引掛部にその上辺を引掛けるとともに、下辺部を底面側からネジ止め固定するものであり、
壁面に取り付ける空気調和装置のフロントパネルなどについても利用できる。
【符号の説明】
【００３０】
１      基地局
２      キャビネット
３      冷却装置
４      本体ケース
４ａ    底面
４ｃ    底面フレーム
４ｄ    シール壁
５      外気吸気口
６      外気吐出口
７      内気吸気口
８      内気吐出口
９      外気送風機
１０    内気送風機
１１    熱交換器
１２    フロントパネル
１２ａ  ネジ止め用孔
１３    内蓋
１３ａ  引掛部
１３ｂ  壁面
１３ｃ  周縁部
１４    ドレンパン
１４ｂ  水抜き孔
【図１】
0005640513.tif 000002
【図２】
0005640513.tif 000003
【図３】
0005640513.tif 000004
【図４】
0005640513.tif 000005
【図５】
0005640513.tif 000006
【図６】
0005640513.tif 000007
【図７】
0005640513.tif 000008